(57)【要約】本発明は、複数の光源の少なくとも１つの線状アレイを含む眼科用装置を提供する。線状アレイは、モータを含み得る取付体上に、中心軸を中心に回転可能に取り付けられる。線状アレイは内側端と外側端とを有し、内側端は、外側端よりも、中心軸及び取付体の近くに取り付けられる。アレイが回転すると、眼上に投影され得る一連の同心円錐状の光の環が形成される。
2021520280.tif 000002
【特許請求の範囲】
【請求項１】
複数の光源の少なくとも１つの線状アレイを含む眼科用装置であって、
前記線状アレイは、取付体上に中心軸を中心に回転可能に取り付けられ、
前記線状アレイは、内側端と外側端とを有し、
前記内側端は、前記外側端よりも、前記中心軸及び前記取付体の近くに取り付けられる、
眼科用装置。
【請求項２】
前記少なくとも１つの線状アレイは、回転可能な支持体上に設けられる、
請求項１に記載の装置。
【請求項３】
前記支持体は、線状ブレード及び／又は円錐台形状の支持体を含む、
請求項２に記載の装置。
【請求項４】
前記線状アレイの前記中心軸に対する角度は、可変／調節可能である、
請求項３に記載の装置。
【請求項５】
前記支持体と交換可能な第２支持体を更に含み、
前記第２支持体上の線状アレイの角度は、前記支持体上の前記線状アレイの角度とは異なる、
請求項２から４のいずれか一項に記載の装置。
【請求項６】
前記中心回転軸周りで等間隔に配置された２つ以上の線状アレイを含む、
上記請求項のいずれか一項に記載の装置。
【請求項７】
前記複数の光源のうち少なくとも１つは、白色ＬＥＤ、青色ＬＥＤ、赤色ＬＥＤ、緑色ＬＥＤ、又は赤外線ＬＥＤからそれぞれ独立して選択されるＬＥＤ光源である、
上記請求項のいずれか一項に記載の装置。
【請求項８】
前記複数の光源のそれぞれの強度／明るさは、それぞれ独立して制御可能である、
上記請求項のいずれか一項に記載の装置。
【請求項９】
前記取付体上に取り付けられ、前記線状アレイを囲む、円錐台形状のフレームを更に含む、
上記請求項のいずれか一項に記載の装置。
【請求項１０】
前記フレームと交換可能な第２フレームを更に含み、該第２フレームの円錐台形状の壁の角度は、前記フレームの円錐台形状の壁の角度とは異なる、
請求項９に記載の装置。
【請求項１１】
前記取付体は、前記中心回転軸と位置合わせされた貫通チャンネルを有する、
上記請求項のいずれか一項に記載の装置。
【請求項１２】
可視化装置及び／又は記録装置を、前記貫通チャンネルと位置を合わせて前記取付体上に固定するための装着用クリップを更に含む、
請求項１１に記載の装置。
【請求項１３】
複数の光源の少なくとも１つの線状アレイと、
取付体と、を含み、
前記線状アレイは、前記取付体上に中心軸を中心に回転可能に取り付け可能であり、
前記線状アレイは内側端と外側端とを有し、
前記内側端は、前記外側端よりも、前記取付体及び前記中心軸の近くに取り付け可能である、
眼科用装置用キット。
【請求項１４】
回転可能な支持体を更に含み、
前記線状アレイは前記支持体上に支持される、
請求項１３に記載のキット。
【請求項１５】
前記支持体は、線状ブレード及び／又は円錐台形状の支持体を含む、
請求項１４に記載のキット。
【請求項１６】
交換可能な複数の支持体を含み、
各支持体上の線状アレイの角度は、各他の支持体上の線状アレイの角度とは異なる、
請求項１５に記載のキット。
【請求項１７】
円錐台形状のフレームを更に含み、
前記フレームは、前記取付体上に取り付けられ、前記線状アレイを囲む、
請求項１３〜１６のいずれか一項に記載のキット。
【請求項１８】
交換可能な複数のフレームを含み、
各支持体の壁／支柱の角度は、各他の支持体の壁／支柱の角度とは異なる、
請求項１７に記載のキット。
【請求項１９】
前記取付体に着脱可能に接続されるフォーカスレンズ、拡大鏡、フィルタ、及びカメラのうちの１つ以上を更に含む、
請求項１３〜１８のいずれか一項に記載のキット。
【発明の詳細な説明】
【発明の詳細な説明】
【０００１】
［発明の分野］
本発明は、患者の眼を検査するための眼科用装置に関する。特に、本発明は、角膜表面及び涙液層／脂質層を測定／観察するための眼科用装置に関する。更に、本発明は、眼科用装置用の部品のキットにも関する。
［背景技術］
（例えば、乱視を評価するための）角膜前面の形状の測定は、典型的には、ケラトメータを使って実施され、ケラトメータは、プラチドディスクをバックライトで照らすことにより一連の白黒の同心環を角膜上に投影する。環の反射は、ディスク中央の穴を通して眼科医によって観察される。ただし、より最近の発展においては、解析のために画像をコンピュータへ転送することが見受けられる。
【０００２】
ケラトメータは、反射された環の画像の歪みや分裂を観察することにより、涙膜の分裂の、非侵襲性の評価を行うために用いられ得る。急な歪みや分裂は、ドライアイの診断に用いられ得る。
【０００３】
Ｋｅｅｌｅｒ  Ｔｅａｒｓｃｏｐｅ（登録商標）や、商業的に利用可能なＯｃｕｌｕｓ（登録商標）Ｋｅｒａｔｏｇｒａｐｈや、Ｅａｓｙ Ｔｅａｒ Ｖｉｅｗ（登録商標）（Ｋｅｅｌｅｒ  Ｔｅａｒｓｃｏｐｅ（登録商標）に取って代わるものであり、同じ原理で働く）など、多くのケラトメータやティアスコープが知られている。
【０００４】
Ｋｅｅｌｅｒ  Ｔｅａｒｓｃｏｐｅ（登録商標）は、ハンドルに搭載され、冷陰極の環状光源によりバックライトで照らされる、半球状のカップを含む手持ち式装置であった。カップ表面には格子パターンにより印が付けられており、それが患者の眼に投影される。Ｔｅａｒｓｃｏｐｅ（登録商標）は、照射面積が最大化され得るように、眼の表面にできるだけ近づけて保持された。これは、患者にとっては不快な場合が多かった。そして、半球状カップの中心にある観察孔を通して眼を観察した。
【０００５】
Ｏｃｕｌｕｓ（登録商標）Ｋｅｒａｔｏｇｒａｐｈは、白色光源によりバックライトで照らされる黒色の同心環の印が付された、より大きな半球状カップを有する、机に取り付けられる装置である。患者がヘッドサポートのあご紐にあごを乗せると、複数の同心環が、患者の眼から反射され、次に、半球状カップの中央に取り付けられたカメラにより観察される。バックライトによる同心環の照射は、患者の頭部と印が付された半球状カップとの間の間隔を埋め合わせるために非常に明るい。この明るさは患者にとって不快なものとなり得る。更に、半球状カップと眼との間に間隔があるので、角膜の広い面積が照らされることを確実にするために、半球状カップは大きくなければならない（よって、机に取り付けることが必須となっている）。
【０００６】
本発明の各局面と各実施形態は、これらを踏まえてなされた。
［発明の概要］
第一の局面において、複数の光源の少なくとも１つの線状アレイを含む眼科用装置が提供される。線状アレイは、取付体上に中心軸を中心に回転可能に取り付けられ、内側端と外側端とを有する。内側端は、外側端よりも、中心軸及び取付体の近くに取り付けられる。
【０００７】
回転可能に取り付けられ、回転の中心軸から離れる方向に角度が付けられた光源の線状アレイを設けることにより、複数の光源それぞれが、患者の眼に投影され得る光の複数の同心状（円錐状）の環をもたらす円形路を描くように、線状アレイが回転され得る。本発明の発明者は、（黒く塗りつぶされた格子／環を有する表面をバックライトで照射するよりも寧ろ）光の環を作ることで、眼の表面上における暗い反射と明るい反射との間のコントラストが改善され、必要とする光の明るさはより低減されることを発見した。更に、光源は、従来技術で用いられた拡散バックライト光源よりも眼の近くに配置でき、そのような近さにより、眼上への効果的な投影に必要とされる明るさが低減される。更に、（単一のバックライトよりは寧ろ）複数の光源を設けることで、光の環の調整が可能となり、以下に記載するような異なる測定技術を達成できる。
【０００８】
少なくとも１つの線状アレイは、回転可能な支持体上に設けられてもよい。回転可能な支持体は、線状ブレード及び／又は円錐台形状の支持体を含んでもよい。円錐台形状の支持体の小径側端部は、例えば着脱可能に、取付体上に取り付けられる。それは、磁気的結合により取付体に固定されてもよい。すなわち、円錐台形状の支持体は、取付体の対向する磁性面によって引き寄せられ保持される磁性面を有してもよい。
【０００９】
線状アレイ又は各線状アレイは、中心回転軸に対して１５度〜９０度の角度を成してもよい。したがって、円錐台形状の支持体の線状ブレード及び／又は円錐台形状の壁は、中心回転軸に対して１５度〜９０度の角度を成してもよい。
【００１０】
角度が大きいほど、眼への投影が向上する。角度が小さい場合、投影された環密度は大きくなるが、環の融合が起こり得る。これは、以下に記述するように、アレイ又は各アレイにおいてＬＥＤのいくつかをスイッチオフすることで対応できる。
【００１１】
いくつかの実施形態において、アレイ又は各アレイは、中心回転軸に対して約６０度の角度を成してもよい。したがって、円錐台形状の支持体の線状ブレード及び／又は円錐台形状の壁は、中心回転軸に対して約６０度の角度を成してもよい。
【００１２】
いくつかの実施形態において、線状アレイの中心軸に対する角度は、（線状アレイの外側端と中心軸との間の距離を可変とすることで）可変であってもよい。
【００１３】
例えば、中心軸に対する線状ブレードの角度は調節可能であってもよい。他の実施形態では、円錐台形状の支持体の壁の角度が調節可能であってもよい。
【００１４】
本装置は、支持体と交換可能な第２支持体を更に含んでもよい。第２支持体上の線状アレイの（中心軸に対する）角度は、支持体上の線状アレイの（中心軸に対する）角度とは異なる。
【００１５】
例えば、中心回転軸と６０度の角度を成す壁を有する円錐台形状の支持体は、例えば、回転軸との間で、（例えば、９０度までの）６０度より大きい角度や、（例えば、１５度までの）６０度より小さい角度といった、異なる角度を成す壁を有する第２の円錐台形状の支持体と交換可能であってもよい。
【００１６】
これにより、大人にとって有用なより大きな環と、子供（又は、よりサイズの小さな眼を持つ人）にとって有用なより小さな環により、生成され得る光の環の大きさや間隔にバリエーションを与え得る。これは、投影の角膜範囲の最大化に役立ち、結果、データ収集点の数の最大化に役立つ。
【００１７】
いくつかの実施形態において、複数の光源をそれぞれ含む２つ以上の線状アレイがある。２つの線状アレイは、好ましくは、中心軸周りで等間隔に配置され、例えば、１８０度だけ互いから離間する２つのアレイであってもよい。各アレイは、それぞれの回転可能な支持体、例えば、線状ブレード、の上に設けられてもよく、かつ／又は、それらは、円錐台形状の支持体の辺りに等間隔に設けられてもよい。
【００１８】
いくつかの実施形態において、複数の光源の少なくとも１つ、好ましくは全ての光源は、ＬＥＤ光源である。
【００１９】
各光源は、白色ＬＥＤ、青色ＬＥＤ、赤色ＬＥＤ、緑色ＬＥＤ、又は赤外線ＬＥＤからそれぞれ独立して選択されてもよい。このように、環の色を異ならせることができる。いくつかの実施形態において、第１の線状アレイの複数の光源は一つの色であり、第２の線状アレイの複数の光源は第２の色であってもよい。例えば、２つの線状アレイのうち一方の線状アレイの光源は赤外線ＬＥＤであり、他方は白又は色付き（例えば、青色ＬＥＤ）であってもよい。
【００２０】
いくつかの実施形態において、線状アレイ又は１つの線状アレイにおける光源は、多色である。これは、歪みの点、ゆえに涙膜分裂、を容易に特定するのに役に立つ。更に、異なる色が付いた環の投影は、大きな収差がある眼における交差（クロスオーバー）による混乱を回避するのに役に立つ。青色ＬＥＤは、フルオレセインを見るのに用いられ得る。赤外線ＬＥＤは、屈折異常の測定に用いられ得る。
【００２１】
各光源は、それぞれ独立して制御可能であってもよく、例えば、各光源は、独立して点灯されてもよいし／独立してスイッチオンオフされてもよい。このように、各光源と、光源の回転により生成される各環は、反射パターンが、例えば眼の色に合わせて、調整されるように、独立して点灯されてもよい。例えば、（全て又はほとんどの光源が点灯することによる）密な環のパターンは、明色（例えば、青／緑）の眼の上で観察することは、強い散乱のため、あまり容易ではない。（例えば１つおきの光源だけなど、いくつかの光源だけを点灯することによる）より密度の低い環のパターンを用いることで、散乱は減少する。従来技術では、密度の高い環のパターンを調整できない。
【００２２】
光源を個々に制御することで、回転中に異なる点で個々の光源を点滅させることができ、周辺視野を検査する視野検査に用いられ得るカスタマイズされたパターンの投影を可能とする。
【００２３】
各光源は、独立して制御可能な強度を有してもよい。このように、線状アレイの回転により生成される環の明るさは、例えば、患者の敏感さ、及び／又は、日光条件に合わせて、調整され得る。
【００２４】
本装置は、取付体上に取り付けられ（例えば、着脱可能に取り付けられ）、線状アレイを囲む、例えば、回転可能な支持体（例えば、線状ブレード及び／又は円錐台形状の支持体）を囲む、円錐台形状のフレームを更に含んでもよい。フレームは、隙間のないものであってもよいし、穴あきのものであってもよい。フレームは、患者と眼科医を回転する支持体から保護するために設けられる。円錐台形状のフレームの大径側端部は、使用中に患者の眉と接触する眉当てを形成し得る。小径側端部は、取付体上に取り付けられる。
【００２５】
フレームは、第２フレームと交換可能であってもよい。第２フレームは、回転軸との間でより大きな又はより小さな角度を成す支柱／壁を有する。このように、中心軸と様々な角度を成すアレイ／支持体が上述のように使用されてもよい。
【００２６】
支持体（例えば、線状ブレード及び／又は円錐台形状の支持体）、及び／又は、フレームは、取付体上に着脱可能に取り付けられてもよい。支持体／フレームは、それぞれ磁気的結合により取り付け可能であってもよい。すなわち、支持体／フレームは、取付体の対向する磁性面によって引き寄せられ保持される磁性端面をそれぞれ有してもよい。
【００２７】
取付体は、線状アレイ／支持体の回転駆動のためのモータを収容してもよい。モータは、回転する光源アレイに電力とデータ信号を接続する整流子を含んでもよい。
【００２８】
取付体は、中心回転軸と位置合わせされた貫通チャンネルを有し、線状アレイの内側端が、貫通チャンネルに隣接するようにしてもよい。これにより、回転軸に沿って、取付体を通して見ることができる。
【００２９】
取付体は、装置が持ち運びできる手持ち式装置であるように、ハンドル上に取り付けられてもよい（例えば、着脱可能に取り付けられてもよい）。取付体は、磁気的結合によりハンドルに取り付け可能であってもよい。すなわち、ハンドルは、取付体の対向する磁性面によって引き寄せられ保持される磁性面を有してもよい。
【００３０】
ハンドルは、電源、例えばバッテリーパック（充電式バッテリーパックなど）を収容する中空室を有してもよい。追加的に／代替的に、ハンドルは、電源に接続する接続部、例えば、細隙灯の電源に接続したり、コンセントに直接接続したりするための接続部、を含んでもよい。
【００３１】
本装置は、取付体の線状アレイとは反対の側において、取付体に対して可視化装置及び／又は記録装置（例えば、フォーカスレンズ、拡大鏡、カメラ、又は、モバイルフォン／スマートフォンなどの他の画像記録装置）を固定するための装着用クリップを更に含んでもよい。
【００３２】
装着用クリップは、取付体上に、及び／又は、ハンドル上に、設けられてもよい（例えば、着脱可能に設けられてもよい）。
【００３３】
本装置は、取付体上に貫通チャンネルと位置合わせして接続される（例えば、着脱可能に接続される）フォーカスレンズを更に含んでもよい。レンズは、磁気的結合により取付体に固定されてもよい。すなわち、レンズは、取付体の対向する磁性面によって引き寄せられ保持される磁性面を有するレンズマウントに取り付けられてもよい。
【００３４】
本装置は、取付体上に貫通チャンネルと位置合わせして接続される（例えば、着脱可能に接続される）拡大鏡を更に含んでもよい。拡大鏡は、磁気的結合により取付体に追加的に又は代替的に固定されてもよい。すなわち、拡大鏡は、取付体の対向する磁性面によって引き寄せられ保持される磁性面を有する拡大鏡マウントに取り付けられてもよい。
【００３５】
本装置は、取付体上に貫通チャンネルと位置合わせして接続される（例えば、着脱可能に接続される）カメラを更に含んでもよい。カメラは、磁気的結合により取付体に追加的に又は代替的に固定されてもよい。すなわち、カメラは、取付体の対向する磁性面によって引き寄せられ保持される磁性面を有するカメラマウントに取り付けられてもよい。
【００３６】
カメラは、局所的に患者データを保存及び処理するためのデータ処理及び保存手段（例えば、スマートフォンやタブレット）に接続可能であってもよい。
【００３７】
本装置は、取付体上に貫通チャンネルと位置合わせして接続される（例えば、着脱可能に接続される）１つ以上の着色フィルタを更に含んでもよい。フィルタは、磁気的結合により取付体に追加的に又は代替的に固定されてもよい。すなわち、フィルタは、取付体の対向する磁性面によって引き寄せられ保持される磁性面を有するフィルタマウントに取り付けられてもよい。フィルタは、眼中に滴下されるさまざまな染料の観察を容易にする。上記記載から理解されるように、本装置は、多数のモジュール部品、すなわち、取付体、支持体、フレーム、及び、ハンドル、並びに、様々な可視化装置、から形成され、それらは互いに着脱可能に接続可能である。これらモジュール部品は、使用のために組み立てられ、保管／持ち運びのために分解され得る。構成部品間の上述した磁気的結合により、迅速且つ容易な組立て及び分解が可能となる。
【００３８】
第二の局面において、複数の光源の少なくとも１つの線状アレイと、取付体と、を含むキットが提供される。線状アレイは、取付体上に、中心軸を中心として回転可能に取り付け可能であり、内側端と外側端とを有する。内側端は、外側端よりも、取付体及び中心軸の近くに取り付け可能である。
【００３９】
複数の光源の少なくとも１つの線状アレイは、第一の局面について上述したようであってもよい。
【００４０】
少なくとも１つの線状アレイは、第一の局面について上述したように、回転可能な支持体上に設けられてもよい。
【００４１】
本キットは、円錐台形状の複数の支持体を含んでもよく、各支持体は、円錐台形状の支持体壁が成す角度が異なる。他の実施形態において、キットは、中心回転軸との間で異なる角度を成すように調節可能な壁を有する円錐台形状の単一の支持体を含んでもよい。
【００４２】
円錐台形状の支持体又は各支持体は、磁気的結合により取付体に接続可能であってもよい。すなわち、支持体は、取付体の対向する磁性面によって引き寄せられ保持される磁性端面を有してもよい。
【００４３】
本キットは、線状アレイを囲むための、例えば、支持体（例えば、線状ブレード及び／又は円錐台形状の支持体）を囲むための、取付体上に取り付け可能な円錐台形状のフレームを更に含んでもよい。
【００４４】
本キットは、円錐台形状の複数のフレームを含んでもよく、円錐台形状の各フレームは、円錐台形状のフレームの壁／支柱が成す角度が異なる。
【００４５】
円錐台形状のフレーム又は各フレームは、磁気的結合により取付体に接続可能であってもよい。すなわち、フレームは、取付体の対向する磁性面によって引き寄せられ保持される磁性端面を有してもよい。
【００４６】
取付体は、第一の局面について上述したようであってもよい。
【００４７】
本キットは、取付体を取り付け可能なハンドルを更に含んでもよい。ハンドルは、第一の局面について上述したようであってもよい。
【００４８】
本キットは、第一の局面について上述したようなフォーカスレンズを更に含んでもよい。
【００４９】
本キットは、第一の局面について上述したような拡大鏡を更に含んでもよい。
【００５０】
本キットは、第一の局面について上述したようなカメラを更に含んでもよい。
【００５１】
本キットは、第一の局面について上述したような１つ以上のフィルタを更に含んでもよい。
【００５２】
カメラは、局所的に患者データを保存及び処理するための（例えば、スマートフォンやタブレット内の）データ処理及び保存手段に接続可能であってもよい。
【００５３】
本発明は、記載される局面と好ましい特徴の組み合わせを、その組み合わせが明らかに許されないか、明示的に回避される場合を除き、含む。
【図面の簡単な説明】
【００５４】
本発明のより容易な理解のため、また、本発明の更なる特徴の理解のため、本発明の原理を説明する実施形態と実験が、添付の図面を参照して例示的に記載される。
【図１】装置の第一実施形態の正面図を示す。
【図２】拡大鏡が取り付けられた第一実施形態の側面図を示す。
【図３】拡大鏡を有する第一実施形態の分解等角図を示す。
【図４】スマートフォンが取り付けられた第一実施形態の側面図を示す。
【図５】スマートフォンが取り付けられた第一実施形態の斜視図を示す。
【発明を実施するための形態】
【００５５】
［発明の詳細な説明］
図１及び図２は、眼科用装置１の第一実施形態の正面図及び側面図をそれぞれ示す。
【００５６】
装置１は、線状ブレード支持体３上に取り付けられる光源８の線状アレイ２を含み、線状ブレード支持体３は、円錐台形状の支持体４上に取り付けられる。抵抗２１の列は、光源８の線状アレイ２付近に設けられるが、他の実施形態では見えないところに取り付けられてもよい。
【００５７】
線状ブレード３と円錐台形状の支持体４は、取付体５上に、中心回転軸周りで回転可能に搭載され、線状アレイ２の外側端７よりも内側端６の方が、中心軸及び取付体５により近い。
【００５８】
円錐台形状の支持体４の小径側端部は、磁気的結合により取付体上に着脱可能に取り付けられる。それは、取付体５の円形状の凹部１１にて受けられる。
【００５９】
取付体５は、中心回転軸と位置合わせされた貫通チャンネル１４を有し、線状アレイ２の内側端６、６’は貫通チャンネルに近接する。取付体５は、線状アレイ２、線状ブレード３、及び支持体４の回転を駆動するモータ（図示せず）を収容する。
【００６０】
この装置１は、穴あきの円錐台形状のフレーム９を更に含み、フレーム９は（その小径側端部で）取付体５上に取り付けられ、円錐台形状の支持体４を囲う。フレーム９は、回転する支持体４から患者及び眼科医を保護するために設けられる。円錐台形状のフレーム９の大径側端部１０は、使用中に患者の眉／頬と接触する眉／頬当てを形成することができる。
【００６１】
フレーム９は、取付体上に着脱可能に取り付けられる。それは（図３に示す）端面壁１２を含む。端面壁１２は磁性を有し、取付体５上の対向する磁性壁１３に当接し、それにより保持される。
【００６２】
線状アレイ２、線状ブレード３、及び円錐台形状の支持体４の壁は、中心軸に対して６０度の角度を成す。
【００６３】
取付体５はハンドル１５上に着脱可能に取り付けられ、それにより装置１は持ち運び可能な手持ち式装置となっている。取付体５は、磁気的結合によりハンドルに取り付け可能である。ハンドルは磁性面１６を有し、磁性面１６は、対向する取付体５の磁性面によって引き寄せられ保持される。
【００６４】
ハンドル１５は中空室を有し、中空室は、モータに動力を供給するための、例えば（充電式バッテリーパックのような）バッテリーパックなどの電源を収容する。他の実施形態（図示せず）において、ハンドル１５は、例えば、細隙灯の電源やコンセントへの接続用など、電源への接続用の接続部を有する。
【００６５】
線状アレイ２は、白色ＬＥＤである複数の光源８を含む。
【００６６】
複数の光源８のそれぞれは、独立して制御可能である。すなわち、それぞれは、独立してスイッチオンオフでき、独立して制御可能な強度を有する。
【００６７】
使用の際、複数の光源８のうちの少なくともいくつかが点灯され、取付体５の中にあるモータが、線状アレイ２の回転を駆動するために使用されることで、点灯された光源のそれぞれが円形状の経路を辿るようにする。これにより、視覚効果の持続性により、一連の同心円錐の光の環が形成されることとなる。
【００６８】
患者は、円錐台形状のフレーム９の大径端部１０に自身の眉をあてがい、光の環が患者の眼上に投影されるようにすることができる。
【００６９】
角膜及び／又は涙膜の破損のトポグラフィは、投影された環の歪み及び／又は破損をモニタリングすることで評価することができる。
【００７０】
このようなモニタリングを容易にするために、本装置は、可視化装置及び／又は記録装置を有してもよい。図２及び図３に図示される実施形態において、装置１は、貫通チャンネル１４と位置を合わせて取付体５に着脱可能に接続される拡大鏡１８を更に含む。拡大鏡１８は、磁気的結合により取付体５に固定される。すなわち、拡大鏡１８は、磁性面１９を有する拡大鏡マウントに装着され、磁性面１９は、取付体５の対向する磁性面によって引き寄せられ保持される。
【００７１】
眼上に投影された環は、拡大鏡を通して目視により観察可能であり、環のいかなる歪み及び／又は環の分裂のための時間も記録できる。
【００７２】
装置１は、取付体５の線状アレイ２とは反対の側に、取付体５に対してスマートフォン２０を固定するためにハンドル１５上に設けられる装着用クリップ１７を更に含む。図４及び図５に示すように、スマートフォン２０は、スマートフォンカメラが貫通チャンネル１４と位置合わせされるように保持され、投影された環が記録可能とされる。
【００７３】
例えば成人男性のように眼の寸法が大きい患者と、例えば子供のように眼の寸法が小さい患者の両者がこの装置を使用できるようにするために、この装置は、キットとして、支持体と交換可能な第２支持体を有する。第２支持体の線状アレイの（中心軸に対する）角度は、支持体の線状アレイの（中心軸に対する）角度とは異なる。
【００７４】
上記の記載から理解されるように、本装置は、互いに着脱可能に連結される多数のモジュール部品、すなわち、取付体５、支持体４，フレーム９、及び、ハンドル１５、並びに、様々な可視化装置により構成される。これらモジュール部品は、使用のために組立てることができ、保管／輸送のために分解することができる。これら部品間における上述した磁気的結合により、迅速かつ容易な組立て及び分解が可能である。
【００７５】
本装置は、前眼部の一般的な評価に用いられ得る。これは、角膜の傷、強膜の赤み、瞳孔反応時間、及び涙液メニスカス高の検出も含み得る。本装置は、患者の症状歴を追跡するのに使用され得る。
【００７６】
本発明は、上述した例示的な実施形態との関連において記載されているが、この開示がおこなわれた段階で、数々の同等な変更及び変形が当業者には明白であろう。したがって、上に説明した本発明の例示的な実施形態は、例示的であり非限定的であると考えられる。記載した実施形態に対する様々な変更は、本発明の範囲を逸脱することなく行われ得る。
【００７７】
後に続く請求項を含めた本明細書を通して、文脈上他の要求がされない限り、用語「有する(comprise)」及び「含む(include)」、並びに、「有する(comprises)」、「有している(comprising)」及び「含んでいる(including)」などの変形は、記載された整数や工程、又は、一群の整数や工程を含むことを示唆するとみなされるが、他のいかなる整数や工程、又は、一群の整数や工程を除外することを示唆するものではない。
【図１】
2021520280.tif 000003
【図２】
2021520280.tif 000004
【図３】
2021520280.tif 000005
【図４】
2021520280.tif 000006
【図５】
2021520280.tif 000007
【国際調査報告】
2021520280.tif 000008
2021520280.tif 000009